(57)【要約】      （修正有）【課題】ヘッドバンド装着時に、重量のある医療用ルーペ等によりヘッドバンドが揺れることを防ぎ、ルーペの中心を位置決めできるノーズパッド部材を容易に着脱することができるヘッドバンドを提供する。【解決手段】ヘッドバンド１は、ルーペ１２やライト１３を着脱可能に取付ける器具取付部と、ノーズパッド部材取付部３を有してなり、前記ノーズパッド部材取付部３には磁石４と位置決めピンを設けて、金属製のノーズパッド固定板７を有するノーズパッド部材６を前記磁石４に着脱可能に取付けるものである。【選択図】図１
0003181577.tif 000002
【実用新案登録請求の範囲】
【請求項１】
器具取付部に器具を取付けてなるヘッドバンドにおいて、前記器具取付部の下方にノーズパッド部材を着脱可能に取付けるノーズパッド部材取付部を設けたことを特徴とするヘッドバンド。
【請求項２】
前記ノーズパッド部材取付部は磁石を有する一方、ノーズパッド部材はノーズパッドと金属製のノーズパッド固定板からなり、前記磁石に前記ノーズパッド固定板を磁着させることによりノーズパッド部材を前記ノーズパッド部材取付部に着脱可能に取付けることを特徴とする請求項１記載のヘッドバンド。
【請求項３】
前記ノーズパッド部材取付部は位置決めピンを有する一方、前記ノーズパッド固定板は、その幅方向中央に縦方向に間隔を置いて前記位置決めピンに嵌合する複数の嵌合孔を設けたことを特徴とする請求項１又は請求項２記載のヘッドバンド。
【考案の詳細な説明】
【技術分野】
【０００１】
本考案は、医療用ルーペやライトが取付けられたヘッドバンドに関し、特に、ヘッドバンドに着脱可能でヘッドバンドを確実に支持することのできるノーズパッド部材を取付けるためのノーズパッド部材取付部を備えたヘッドバンドに関する。
【背景技術】
【０００２】
従来から、外科医等が手術の際に使用する、医療用ルーペやライトを取付けたヘッドバンドが知られている（特許文献１、２）。
【先行技術文献】
【特許文献】
【０００３】
【特許文献１】登録実用新案第３１５８１４８号公報
【特許文献２】登録実用新案第３１４９２５０号公報
【考案の概要】
【考案が解決しようとする課題】
【０００４】
しかし、医療用ルーペやライトは重いため、それらの重みによってヘッドバンドが揺れてしまい、ルーペの位置が変化したり、ヘッドバンド装着時のヘッドバンド使用者の眼とルーペの位置調整が煩雑であるという問題があった。また、ヘッドバンドにライトを装着し、電源コードを介して当該ライトに電力を供給する場合は、電源コードにヘッドバンドが引っ張られてヘッドバンドを一定状態に支持することが難しいという問題があった。
【０００５】
本考案は、ヘッドバンドの揺れを少なくし、医療用ルーペの中心を位置決めできるノーズパッド部材を着脱可能なヘッドバンドを提供することを目的とする。
【課題を解決するための手段】
【０００６】
上記目的を達成するために、本考案の請求項１に係るヘッドバンドは、器具取付部にルーペやライトを取付けてなり、前記器具取付部の下方にノーズパッド部材を着脱可能に取付けるノーズパッド部材取付部を設けたものである。
【０００７】
同じく上記目的を達成するために、本考案の請求項２に係るヘッドバンドは、上記請求項１の構成において、前記ノーズパッド部材取付部は磁石を有する一方、ノーズパッド部材はノーズパッドと金属製のノーズパッド固定板からなり、前記磁石に前記ノーズパッド固定板を磁着させることによりノーズパッド部材を前記ノーズパッド部材取付部に着脱可能に取付けるよう構成したものである。
【０００８】
また、同じく上記目的を達成するために、本考案の請求項３に係るヘッドバンドは、上記請求項１または請求項２の構成において、前記ノーズパッド部材取付部は位置決めピンを有する一方、前記ノーズパッド固定板は、その幅方向中央に縦方向に間隔を置いて前記位置決めピンに嵌合する複数の嵌合孔を設けたものである。
【考案の効果】
【０００９】
請求項１記載のヘッドバンドによれば、器具取付部の下方にノーズパッド部材を着脱可能に取付けるノーズパッド部材取付部を設けたので、ノーズパッド部材を取付けた状態でヘッドバンド使用者がヘッドバンドを装着すると、ルーペが使用者の眼に対応して位置決めされる。また、使用者の鼻柱上部にノーズパッドが当接してヘッドバンドを支持することができるため、ヘッドバンドの揺れによりルーペの位置がずれることを防止できるという効果を奏する。
【００１０】
請求項２記載のヘッドバンドによれば、請求項１に記載した考案の効果に加えて、ノーズパッド部材取付部は磁石を有する一方、ノーズパッド部材はノーズパッドと金属製のノーズパッド固定板からなり、前記磁石に前記ノーズパッド固定板を磁着させることによりノーズパッド部材を前記ノーズパッド部材取付部に着脱可能に取付けるよう構成したので、ノーズパッド部材の着脱が容易に行え、かつ、ノーズパッド部材を確実に保持できるという効果を奏する。
【００１１】
また、請求項３に記載のヘッドバンドによれば、請求項１または請求項２に記載した考案の効果に加えて、前記ノーズパッド部材取付部は位置決めピンを有する一方、前記ノーズパッド固定板は、その幅方向中央に縦方向に間隔を置いて前記位置決めピンに嵌合する複数の嵌合孔を設けたので、ノーズパッドの縦方向の位置を容易に調節することができるという効果を奏する。
【図面の簡単な説明】
【００１２】
【図１】ノーズパッド部材取付時の斜視図。
【図２】図１の正面図。
【図３】図２のＡ―Ａ線断面図。
【図４】ノーズパッド部材取付部の拡大斜視図。
【図５】ノーズパッド部材の拡大斜視図。
【考案を実施するための形態】
【００１３】
以下、本考案の好適な実施形態を添付図面に基づいて説明する。
図１に示すように、ヘッドバンド１は、プラスチック製で、周方向のサイズの調整を可能にする調整ネジ（図示せず）と、器具取付部２（図３参照）と、ノーズパッド部材取付部３を有し、使用者の頭に当接する部分にはスポンジ材１ａが貼られている。器具取付部２は、医療用ルーペ１２やライト１３などの重量のある光学器具を着脱可能に取付けることができる。
【００１４】
また、図２及び図３に示すように、ノーズパッド部材取付部３は器具取付部２の下方にヘッドバンド１から延出して設けられ、ノーズパッド部材取付部３の幅方向における中心と器具取付部２の幅方向における中心とが同一線上にあるよう構成される。
したがって、ノーズパッド部材６を前記ノーズパッド部材取付部３に取付けた状態でヘッドバンド１を使用者が装着すると、ルーペ１２が使用者の眼に対応して位置決めされる。また、使用者の鼻柱上部にノーズパッド８が当接してヘッドバンド１を支持することかできるため、ヘッドバンド１の揺れによりルーペ１２の位置がずれることを防止することができる。
【００１５】
図３及び図４に示すように、ノーズパッド部材取付部３には磁石４及び位置決めピン５が設けられている。磁石４はノーズパッド部材取付部３に嵌め込まれており、その形は円柱形で、円の直径は後述するノーズパッド固定板７の幅方向の長さとほぼ同一である。また、位置決めピン５は磁石４の下方に配置され、ノーズパッド部材取付部３を貫通するように設けられる。
【００１６】
図５はノーズパッド部材６を示している。ノーズパッド部材６は金属製のノーズパッド固定板７と前記ノーズパッド固定板７にねじ止めされた軟質合成樹脂製のノーズパッド８からなり、ノーズパッド固定板７は磁石４を挟持できるように断面コの字状に形成されている。さらに、位置調節を行えるようにその幅方向中央に縦方向に間隔を置いて位置決めピン５に嵌合する複数の嵌合孔９を設けている。使用者はこの複数の嵌合孔９から好適な一の嵌合孔９を選択し、この選択した嵌合孔９を位置決めピン５に嵌合して、ノーズパッド部材取付部３にノーズパッド部材６を取付ける。この時、ノーズパッド固定板７は金属製であるため、ノーズパッド部材取付部３における磁石４に磁着され、ノーズパッド部材６は確実に保持されることになる。
【００１７】
したがって、使用者がヘッドバンド１を装着した状態でノーズパッド部材６がぶれることはなく、確実な装着状態が維持される。
【００１８】
なお、本考案は、上述の実施形態に限定されず、例えばノーズパッド部材取付部３における磁石４及び位置決めピン５はノーズパッド部材取付部３を貫通するのではなく、その片面に設けてもよく、磁石４及び位置決めピン５の大きさや配置する位置も適宜変更可能である。さらに、ノーズパッド部材６についても、ノーズパッド部材取付部３の構成に対応してノーズパッド固定板７の形状や嵌合孔９の数、ノーズパッド８の形状等の変更が可能である。
【符号の説明】
【００１９】
１      ヘッドバンド
２      器具取付部
３      ノーズパッド部材取付部
４      磁石
５      位置決めピン
６      ノーズパッド部材
７      ノーズパッド固定板
８      ノーズパッド
９      嵌合孔
【図１】
0003181577.tif 000003
【図２】
0003181577.tif 000004
【図３】
0003181577.tif 000005
【図４】
0003181577.tif 000006
【図５】
0003181577.tif 000007